(57)【要約】【課題】従来技術における、移動通信装置が多数のフェムトセル基地局が提供する通信カバレッジに進入したとき、各フェムトセル基地局間において、信号強度をリアルタイムに取得することができないため、比較誤差が発生するという問題を解決することができるフェムトセル基地局の通信サービス切替処理システム及びその方法を提供する。【解決手段】フェムトセル基地局の通信サービス切替処理システムは、すでに移動通信装置３に接続を許可し、通信サービスを提供しているフェムトセル基地局４０，４１，４２から、他のフェムトセル基地局４０，４１，４２に接続を切り替え、他のフェムトセル基地局４０，４１，４２から移動通信装置３に通信サービスを提供する。フェムトセル基地局の通信サービス切替処理システムは、データベース５１、設定モジュール５２、検出モジュール５３、取込モジュール５４及び切替モジュール５５を備える。【選択図】図１
2012105247.tif 000002
【特許請求の範囲】
【請求項１】
ネットワーク装置を介し、すでに移動通信装置に接続を許可し、通信サービスを提供しているフェムトセル基地局から、他のフェムトセル基地局に接続を切り替え、前記他のフェムトセル基地局から前記移動通信装置に前記通信サービスを提供するフェムトセル基地局の通信サービス切替処理方法であって、
前記複数のフェムトセル基地局が提供するカバレッジ内において、前記移動通信装置に前記複数のフェムトセル基地局の中の少なくとも１つに接続する許可を与えるために用いる許可リストを、前記ネットワーク装置中に構築する上、前記ネットワーク装置中に通信警報値及び信号取込時間を設定するステップと、
前記ネットワーク装置がすでに前記移動通信装置に接続を許可し、通信サービスを提供しているフェムトセル基地局の信号強度を検出する上、前記信号強度が前記通信警報値より小さいとき、前記信号取込時間の設定範囲に基づき、計時処理を行い、前記計時処理によって取得された計測時間が前記信号取込時間に達するまで、すでに前記移動通信装置に接続を許可し、通信サービスを提供しているフェムトセル基地局と、前記許可リスト内の前記他の各フェムトセル基地局と、の信号強度を取り込み続ける上、前記他の各フェムトセル基地局の信号強度の大きさに基づき、優先リストを構築するステップと、
前記計時処理によって取得された計測時間が前記信号取込時間に達した上、すでに前記移動通信装置に接続を許可し、通信サービスを提供しているフェムトセル基地局の信号強度が前記優先リスト中の前記他のフェムトセル基地局中の最優先の他のフェムトセル基地局より小さいとき、前記ネットワーク装置が前記優先リスト中の前記最優先の他のフェムトセル基地局を切替対象として選択し、切替を実行して前記移動通信装置と接続するステップと、を含むことを特徴とするフェムトセル基地局の通信サービス切替処理方法。
【請求項２】
前記計時処理によって取得された計測時間が前記信号取込時間に達していないとき、取り込んだ前記各信号強度を計算して前記許可リスト内の前記各フェムトセル基地局の平均信号強度を取得するステップをさらに含むことを特徴とする請求項１に記載のフェムトセル基地局の通信サービス切替処理方法。
【請求項３】
前記計時処理によって取得された計測時間が前記信号取込時間に達したとき、前記各平均信号強度の大きさを比較し、すでに前記移動通信装置に接続を許可し、通信サービスを提供しているフェムトセル基地局の平均信号強度が、前記許可リスト中の前記他の各フェムトセル基地局の平均信号強度より小さいとき、前記ネットワーク装置が前記優先リスト中の前記他のフェムトセル基地局中の最優先の他のフェムトセル基地局を切替対象として選択し、切替を実行するステップをさらに含むことを特徴とする請求項２に記載のフェムトセル基地局の通信サービス切替処理方法。
【請求項４】
前記他の各フェムトセル基地局の平均信号強度に基づき、前記優先リストを構築するステップをさらに含むことを特徴とする請求項２に記載のフェムトセル基地局の通信サービス切替処理方法。
【請求項５】
前記計時処理によって取得された計測時間が前記信号取込時間に達したとき、前記各平均信号強度の大きさを比較し、すでに前記移動通信装置に接続を許可し、通信サービスを提供しているフェムトセル基地局の平均信号強度が、前記許可リスト中の前記他の各フェムトセル基地局の平均信号強度より小さいとき、前記ネットワーク装置が前記優先リスト中の前記他のフェムトセル基地局中の最優先の他のフェムトセル基地局を切替対象として選択し、切替を実行するステップをさらに含むことを特徴とする請求項４に記載のフェムトセル基地局の通信サービス切替処理方法。
【請求項６】
すでに移動通信装置に接続を許可し、通信サービスを提供しているフェムトセル基地局から、他のフェムトセル基地局に接続を切り替え、前記他のフェムトセル基地局から前記移動通信装置に前記通信サービスを提供するフェムトセル基地局の通信サービス切替処理システムであって、
前記複数のフェムトセル基地局が提供するカバレッジ内において、前記移動通信装置に前記複数のフェムトセル基地局の中の少なくとも１つに接続する許可を与える許可リストを保存するデータベースと、
通信警報値及び信号取込時間を設定する設定モジュールと、
すでに前記移動通信装置に接続を許可し、通信サービスを提供しているフェムトセル基地局の信号強度を検出する上、前記信号強度が前記通信警報値より小さいとき、前記信号取込時間の設定範囲に基づき、計時処理を行う検出モジュールと、
前記計時処理によって取得された計測時間が前記信号取込時間に達するまで、すでに前記移動通信装置に接続を許可し、通信サービスを提供しているフェムトセル基地局と、前記許可リスト内の前記他の各フェムトセル基地局と、の信号強度を取り込み続ける上、前記計時処理が終了した後、前記各信号強度の大きさに基づき、優先リストを構築する取込モジュールと、
前記優先リスト中の前記各信号強度を比較する上、すでに前記移動通信装置に接続を許可し、通信サービスを提供しているフェムトセル基地局の信号強度が前記優先リスト中の前記他の各フェムトセル基地局の信号強度より小さいとき、前記優先リスト中の前記他のフェムトセル基地局中の最優先の他のフェムトセル基地局を切替対象として選択し、切替を実行する切替モジュールと、を備えることを特徴とするフェムトセル基地局の通信サービス切替処理システム。
【請求項７】
前記取込モジュールは、前記信号取込時間内において継続して取り込んだ前記許可リスト内の前記各フェムトセル基地局の信号強度を計算し、前記各フェムトセル基地局の平均信号強度を取得する計算ユニットを有することを特徴とする請求項６に記載のフェムトセル基地局の通信サービス切替処理システム。
【請求項８】
前記切替モジュールは、前記信号取込時間内における前記各フェムトセル基地局の平均信号強度の大きさを比較する比較ユニットを有し、
すでに前記移動通信装置に接続を許可し、通信サービスを提供しているフェムトセル基地局の平均信号強度が前記許可リスト中の前記他の各フェムトセル基地局の平均信号強度より小さいとき、前記切替モジュールが前記優先リスト中の前記他のフェムトセル基地局中の最優先の他のフェムトセル基地局を切替対象として選択し、切替を実行することを特徴とする請求項７に記載のフェムトセル基地局の通信サービス切替処理システム。
【請求項９】
前記取込モジュールは、前記各平均信号強度に基づき、前記優先リストを構築することを特徴とする請求項７に記載のフェムトセル基地局の通信サービス切替処理システム。
【請求項１０】
前記切替モジュールは、前記信号取込時間内における前記各フェムトセル基地局の平均信号強度の大きさを比較する比較ユニットを有し、すでに前記移動通信装置に接続を許可し、通信サービスを提供しているフェムトセル基地局の平均信号強度が前記許可リスト中の前記他の各フェムトセル基地局の平均信号強度より小さいとき、前記切替モジュールが前記優先リスト中の前記他のフェムトセル基地局中の最優先の他のフェムトセル基地局を切替対象として選択し、切替を実行することを特徴とする請求項９に記載のフェムトセル基地局の通信サービス切替処理システム。
【発明の詳細な説明】
【技術分野】
【０００１】
本発明は、無線通信の切替技術に関し、特に、移動通信装置が多数のフェムトセル（ｆｅｍｔｏｃｅｌｌ）基地局が提供するカバレッジ（ｃｏｖｅｒａｇｅ）に進入したとき、すでに移動通信装置に接続を許可し、通信サービスを提供しているフェムトセル基地局から、他のフェムトセル基地局に接続を切り替え、他のフェムトセル基地局から移動通信装置に通信サービスを提供するフェムトセル基地局の通信サービス切替処理システム及びその方法に関する。
【背景技術】
【０００２】
ネットワーク通信の発展過程において、カバレッジは、インターネットサービスプロバイダ（Ｉｎｔｅｒｎｅｔ  Ｓｅｒｖｉｃｅ  Ｐｒｏｖｉｄｅｒ：ＩＳＰ）がネットワークを構築する上で常に重視され続けている。また、カバレッジは、ユーザがインターネットサービスプロバイダを選択する際にも参考にされる。現在すでに広域ネットワークのカバレッジは、非常に安定している。例えば、カバレッジの大きなマクロセル（ｍａｃｒｏ  ｃｅｌｌ）基地局は、人口が少ない上、移動速度が速いユーザフローに応用することができる。これにより、都市部から離れた農村であっても、広域ネットワーク内に含めることができる。
【０００３】
しかし、人口が密集する都市部の場合、高層ビルの密集度が高まり、建築物内を移動するユーザが増加するに従い、室内の場合、マクロセル基地局からの電波が届きにくいことがある。そこで、フェムトセルと呼ばれる基地局が運用されている。このフェムトセル基地局は、移動通信ネットワークのカバレッジを延展させることにより、室内に電波が届きにくいという問題を解決している。
【０００４】
周知の通り、移動通信端末（例えば、携帯電話）とマクロセル基地局との間の接続切替は、信号を比較することによって行われる。即ち、移動通信端末が周辺の多数のマクロセル基地局を同時に検出したとき、信号が最も強いマクロセル基地局を接続対象とする傾向にある。マクロセル基地局間は、光ファイバによって接続されるため、マクロセル基地局間の情報交換速度は非常に速い。即ち、マクロセル基地局間の信号比較は、同期比較であり、遅延が発生しない。従って、マクロセル基地局間の比較に誤差が発生することにより、移動通信端末が通信品質の最も優れたマクロセル基地局との接続に切り替えられないという状況は発生しない。
【０００５】
しかし、一般に、フェムトセル基地局のネットワークシステムにおいては、フェムトセル基地局間は、ネットワークケーブルによって接続される。ネットワークケーブルの信号伝送速度は、光ファイバの信号伝送速度よりはるかに遅いため、フェムトセル基地局間においては、マクロセル基地局間のように信号を同期比較することができない。そのため、フェムトセル基地局が信号強弱の比較を行うとき、判断作業を行うフェムトセル基地局は、他のフェムトセル基地局の信号パラメータ値（即ち、信号強度）をリアルタイムに取り込むことができない。これにより、取り込んだ信号パラメータ値は、信頼性が低く、比較誤差が発生し、信号強度が低下しているフェムトセル基地局に切り替えられる状況が発生する虞がある。従って、システムを正確かつスムーズに切替えることができなかった。
【発明の概要】
【発明が解決しようとする課題】
【０００６】
本発明の目的は、従来技術における、移動通信装置が多数のフェムトセル基地局が提供する通信カバレッジに進入したとき、各フェムトセル基地局間において、信号強度をリアルタイムに取得することができないため、比較誤差が発生するという問題を解決することができるフェムトセル基地局の通信サービス切替処理システム及びその方法を提供することにある。
【課題を解決するための手段】
【０００７】
上記課題を解決するために、本発明の第１の形態によれば、ネットワーク装置を介し、すでに移動通信装置に接続を許可し、通信サービスを提供しているフェムトセル基地局から、他のフェムトセル基地局に接続を切り替え、前記他のフェムトセル基地局から前記移動通信装置に前記通信サービスを提供するフェムトセル基地局の通信サービス切替処理方法であって、前記複数のフェムトセル基地局が提供するカバレッジ内において、前記移動通信装置に前記複数のフェムトセル基地局の中の少なくとも１つに接続する許可を与えるために用いる許可リストを、前記ネットワーク装置中に構築する上、前記ネットワーク装置中に通信警報値及び信号取込時間を設定するステップと、前記ネットワーク装置がすでに前記移動通信装置に接続を許可し、通信サービスを提供しているフェムトセル基地局の信号強度を検出する上、前記信号強度が前記通信警報値より小さいとき、前記信号取込時間の設定範囲に基づき、計時処理を行い、前記計時処理によって取得された計測時間が前記信号取込時間に達するまで、すでに前記移動通信装置に接続を許可し、通信サービスを提供しているフェムトセル基地局と、前記許可リスト内の前記他の各フェムトセル基地局と、の信号強度を取り込み続ける上、前記他の各フェムトセル基地局の信号強度の大きさに基づき、優先リストを構築するステップと、前記計時処理によって取得された計測時間が前記信号取込時間に達した上、すでに前記移動通信装置に接続を許可し、通信サービスを提供しているフェムトセル基地局の信号強度が前記優先リスト中の前記他のフェムトセル基地局中の最優先の他のフェムトセル基地局より小さいとき、前記ネットワーク装置が前記優先リスト中の前記最優先の他のフェムトセル基地局を切替対象として選択し、切替を実行して前記移動通信装置と接続するステップと、を含むことを特徴とするフェムトセル基地局の通信サービス切替処理方法が提供される。
【０００８】
また、前記計時処理によって取得された計測時間が前記信号取込時間に達していないとき、取り込んだ前記各信号強度を計算して前記許可リスト内の前記各フェムトセル基地局の平均信号強度を取得するステップをさらに含むことが好ましい。
【０００９】
また、前記計時処理によって取得された計測時間が前記信号取込時間に達したとき、前記各平均信号強度の大きさを比較し、すでに前記移動通信装置に接続を許可し、通信サービスを提供しているフェムトセル基地局の平均信号強度が、前記許可リスト中の前記他の各フェムトセル基地局の平均信号強度より小さいとき、前記ネットワーク装置が前記優先リスト中の前記他のフェムトセル基地局中の最優先の他のフェムトセル基地局を切替対象として選択し、切替を実行するステップをさらに含むことが好ましい。
【００１０】
また、前記他の各フェムトセル基地局の平均信号強度に基づき、前記優先リストを構築するステップをさらに含むことが好ましい。
【００１１】
また、前記計時処理によって取得された計測時間が前記信号取込時間に達したとき、前記各平均信号強度の大きさを比較し、すでに前記移動通信装置に接続を許可し、通信サービスを提供しているフェムトセル基地局の平均信号強度が、前記許可リスト中の前記他の各フェムトセル基地局の平均信号強度より小さいとき、前記ネットワーク装置が前記優先リスト中の前記他のフェムトセル基地局中の最優先の他のフェムトセル基地局を切替対象として選択し、切替を実行するステップをさらに含むことが好ましい。
【００１２】
上記課題を解決するために、本発明の第２の形態によれば、すでに移動通信装置に接続を許可し、通信サービスを提供しているフェムトセル基地局から、他のフェムトセル基地局に接続を切り替え、前記他のフェムトセル基地局から前記移動通信装置に前記通信サービスを提供するフェムトセル基地局の通信サービス切替処理システムであって、前記複数のフェムトセル基地局が提供するカバレッジ内において、前記移動通信装置に前記複数のフェムトセル基地局の中の少なくとも１つに接続する許可を与える許可リストを保存するデータベースと、通信警報値及び信号取込時間を設定する設定モジュールと、すでに前記移動通信装置に接続を許可し、通信サービスを提供しているフェムトセル基地局の信号強度を検出する上、前記信号強度が前記通信警報値より小さいとき、前記信号取込時間の設定範囲に基づき、計時処理を行う検出モジュールと、前記計時処理によって取得された計測時間が前記信号取込時間に達するまで、すでに前記移動通信装置に接続を許可し、通信サービスを提供しているフェムトセル基地局と、前記許可リスト内の前記他の各フェムトセル基地局と、の信号強度を取り込み続ける上、前記計時処理が終了した後、前記各信号強度の大きさに基づき、優先リストを構築する取込モジュールと、前記優先リスト中の前記各信号強度を比較する上、すでに前記移動通信装置に接続を許可し、通信サービスを提供しているフェムトセル基地局の信号強度が前記優先リスト中の前記他の各フェムトセル基地局の信号強度より小さいとき、前記優先リスト中の前記他のフェムトセル基地局中の最優先の他のフェムトセル基地局を切替対象として選択し、切替を実行する切替モジュールと、を備えることを特徴とするフェムトセル基地局の通信サービス切替処理システムが提供される。
【００１３】
また、前記取込モジュールは、前記信号取込時間内において継続して取り込んだ前記許可リスト内の前記各フェムトセル基地局の信号強度を計算し、前記各フェムトセル基地局の平均信号強度を取得する計算ユニットを有することが好ましい。
【００１４】
また、前記切替モジュールは、前記信号取込時間内における前記各フェムトセル基地局の平均信号強度の大きさを比較する比較ユニットを有し、すでに前記移動通信装置に接続を許可し、通信サービスを提供しているフェムトセル基地局の平均信号強度が前記許可リスト中の前記他の各フェムトセル基地局の平均信号強度より小さいとき、前記切替モジュールが前記優先リスト中の前記他のフェムトセル基地局中の最優先の他のフェムトセル基地局を切替対象として選択し、切替を実行することが好ましい。
【００１５】
また、前記取込モジュールは、前記各平均信号強度に基づき、前記優先リストを構築することが好ましい。
【００１６】
また、前記切替モジュールは、前記信号取込時間内における前記各フェムトセル基地局の平均信号強度の大きさを比較する比較ユニットを有し、すでに前記移動通信装置に接続を許可し、通信サービスを提供しているフェムトセル基地局の平均信号強度が前記許可リスト中の前記他の各フェムトセル基地局の平均信号強度より小さいとき、前記切替モジュールが前記優先リスト中の前記他のフェムトセル基地局中の最優先の他のフェムトセル基地局を切替対象として選択し、切替を実行することが好ましい。
【発明の効果】
【００１７】
本発明のフェムトセル基地局の通信サービス切替処理システム及びその方法は、通信警報値及び信号取込時間が設定され、すでに移動通信装置に接続を許可し、通信サービスを提供しているフェムトセル基地局の強度が通信警報値より小さいとき、すでに移動通信装置に接続を許可し、通信サービスを提供しているフェムトセル基地局と、移動通信装置に接続を許可する他のフェムトセル基地局と、の信号強度を比較する。次に、信号強度又は平均信号強度が高い１つのフェムトセル基地局を、移動通信装置と接続する対象として選択する。これにより、従来技術における、移動通信装置が複数のフェムトセル基地局が提供するカバレッジに進入したとき、すでに移動通信装置に接続を許可し、通信サービスを提供しているフェムトセル基地局が切替を行う対象である他のフェムトセル基地局の信号パラメータ値（即ち、信号強度）をリアルタイムに取得できない状況において即座に切替を行おうとすることにより、スムーズな切替を行うことができないという問題を有効に解決することができる。
【図面の簡単な説明】
【００１８】
【図１】本発明の一実施形態によるフェムトセル基地局の通信サービス切替処理システムのシステム基本アーキテクチャ及びその応用アーキテクチャを示すブロック図である。
【図２】本発明の一実施形態によるフェムトセル基地局の通信サービス切替処理方法を示す流れ図である。
【発明を実施するための形態】
【００１９】
以下、本発明の実施形態について図に基づいて説明する。なお、これによって本発明が限定されるものではない。
【００２０】
図１を参照する。図１に示すように、本発明の一実施形態によるフェムトセル基地局の通信サービス切替処理システム５は、すでに移動通信装置３に接続を許可し、通信サービスを提供しているフェムトセル基地局（４０，４１，４２の中の１つ）から、他のフェムトセル基地局に接続を切り替え、他のフェムトセル基地局から移動通信装置３に通信サービスを提供するために用いられる。ここで、本発明の通信サービスの切替処理方法の説明の便宜上、本実施形態では、１つの移動通信装置３、３つのフェムトセル基地局４０，４１，４２を例に説明する。また、フェムトセル基地局の通信サービス切替処理システム５は、例えば、インターネットサービスプロバイダによって構築され、移動通信サービスのネットワーク装置（例えば、サーバ）を提供するために用いられる。フェムトセル基地局の通信サービス切替処理システム５は、データベース５１、設定モジュール５２、検出モジュール５３、取込モジュール５４及び切替モジュール５５を含む。
【００２１】
データベース５１は、複数のフェムトセル基地局４０，４１，４２が提供するカバレッジ内において、移動通信装置３に複数のフェムトセル基地局４０，４１，４２の中の１つに接続する許可を与える許可リストを保存するために用いられる。実際には、本実施形態において、データベース５１中には、各フェムトセル基地局４０，４１，４２のセルＩＤ（ｃｅｌｌ  ＩＤ）及びＩＰアドレスも保存される。
【００２２】
以下の実施形態において、まず、フェムトセル基地局４１が移動通信装置３に接続を許可し、通信サービスを提供する場合を例に説明を行う。
【００２３】
設定モジュール５２は、通信警報値及び信号取込時間を設定するために用いられる。通信警報値は、基地局の通信規格で規定されている通信閾値に基づいて設定される。具体的に述べると、通信警報値は、通信閾値より大きく、これにより、すでに移動通信装置３に接続を許可し、通信サービスを提供しているフェムトセル基地局４１の通信信号強度が通信警報値より小さくても通信が中断することはない。上述の通信警報値及び通信閾値は、予め設定される信号強度パラメータである。各フェムトセル基地局間は、一般のネットワークケーブルを介して接続されるため、フェムトセル基地局間において信号比較を行うとき、遅延が発生する。従って、本実施形態の信号取込時間は、遅延時間よりも長い。具体的に述べると、信号取込時間は、信号強度の取込を実行する時間である。
【００２４】
検出モジュール５３は、すでに移動通信装置３に接続を許可し、通信サービスを提供しているフェムトセル基地局４１の信号強度を検出する上、信号強度が通信警報値より小さいとき、信号取込時間の設定範囲に基づき、計時処理を行うために用いられる。本実施形態の検出モジュール５３は、すでに移動通信装置３に接続を許可し、通信サービスを提供しているフェムトセル基地局４１と、移動通信装置３と、の間の通信信号強度を検出する。信号強度が設定モジュール５２中に予め設定された通信警報値より小さいとき、検出モジュール５３は、信号取込時間の設定範囲に基づき、計時を開始する。
【００２５】
検出モジュール５３が計時を開始すると、取込モジュール５４は、設定モジュール５２に設定された信号取込時間に基づき、信号取込時間内において許可リスト内の移動通信装置に接続を許可する他のフェムトセル基地局４０，４２の信号強度を取り込み続ける。また、取込モジュール５４中の計算ユニット５４１により、信号取込時間内において取り込み続けた移動通信装置に接続を許可する他のフェムトセル基地局４０，４２の信号強度を計算し、各フェムトセル基地局４０，４２の平均信号強度を計算する。この計算は、計時処理によって取得された計測時間が信号取込時間になるまで続けられる。次に、平均信号強度の大きさに基づき、優先順序を確定し、優先リストを構築する。例えば、計算ユニット５４１による計算の結果、フェムトセル基地局４２の平均信号強度がフェムトセル基地局４０の平均信号強度より大きい場合、構築される優先リスト中、フェムトセル基地局４２が最優先のフェムトセル基地局とされる。
【００２６】
また、取込モジュール５４は、信号取込時間内において、すでに移動通信装置３に接続を許可し、通信サービスを提供しているフェムトセル基地局４１の信号強度を取り込み続ける。次に、取込モジュール５４内の計算ユニット５４１により、すでに移動通信装置３に接続を許可し、通信サービスを提供しているフェムトセル基地局４１の信号取込時間内の平均信号強度を計算する。
【００２７】
検出モジュール５３が計時処理を行って取得した計測時間が、設定モジュール５２に設定された信号取込時間に達すると、計時処理を終了する。次に、切替モジュール５５により優先リスト中の各信号強度を比較する。即ち、信号取込時間内における各信号強度を比較する。この比較過程は、切替モジュール５５中の比較ユニット５５１によって行われる。即ち、比較ユニット５５１により、取込モジュール５４が計算した各平均信号強度の大きさを比較する。フェムトセル基地局４１の平均信号強度が優先リスト中の最優先の他のフェムトセル基地局の平均信号強度より小さいとき、優先リスト中の最優先の他のフェムトセル基地局を切替対象として選択し、切替を実行して移動通信装置３と接続する。
【００２８】
また、フェムトセル基地局４１の平均信号強度が優先リスト中の最優先の他のフェムトセル基地局の平均信号強度以上のとき、移動通信装置３は、すでに移動通信装置３に接続を許可し、通信サービスを提供しているフェムトセル基地局４１と接続し続け、通信を行う。
【００２９】
上述したことから分かるように、フェムトセル基地局４１が通信信号強度を比較する過程において、他のフェムトセル基地局４０，４２の信号パラメータ値を予め取得することができるため、従来技術における、通信サービスの切替処理を実行するとき、他のフェムトセル基地局の信号パラメータ値がリアルタイムで取得できないため、切替をスムーズに行うことができないという欠点を解決することができる。
【００３０】
図１と併せて図２を参照する。図２に示すように、本発明の一実施形態によるフェムトセル基地局の通信サービス切替処理方法は、ネットワーク装置を介し、すでに移動通信装置３に接続を許可し、通信サービスを提供しているフェムトセル基地局（４０，４１，４２の中の１つ）から、他のフェムトセル基地局に接続を切り替え（ｈａｎｄｏｖｅｒ）、他のフェムトセル基地局から移動通信装置３に通信サービスを提供するために用いられる。
【００３１】
本発明の一実施形態によるフェムトセル基地局の通信サービス切替処理方法は、以下Ｓ１〜Ｓ７のステップを含む。
【００３２】
Ｓ１：複数のフェムトセル基地局４０，４１，４２が提供するカバレッジ内において、移動通信装置３に複数のフェムトセル基地局４０，４１，４２の中の少なくとも１つに接続する許可を与えるために用いる許可リストを、ネットワーク装置中に構築する。次にＳ２に進む。
【００３３】
Ｓ２：ネットワーク装置中に、通信警報値及び信号取込時間を設定する。通信警報値は、基地局の通信規格中に規定される通信閾値に基づいて設定される。具体的に述べると、通信警報値は、通信閾値より大きく、これにより移動通信装置と、すでに移動通信装置に接続を許可したフェムトセル基地局と、の間の通信信号強度が通信警報値より小さくても通信が中断しない。従って、上述の通信警報値及び通信閾値は、予め設定される信号強度パラメータである。各フェムトセル基地局間は、一般のネットワークケーブルを介して接続されるため、フェムトセル基地局間において信号比較を行うとき、遅延が発生する。従って、本実施形態の信号取込時間は、遅延時間よりも長い。次にＳ３に進む。
【００３４】
Ｓ３：ネットワーク装置がすでに移動通信装置に接続を許可し、通信サービスを提供しているフェムトセル基地局の信号強度を検出する上、信号強度が通信警報値より小さいとき、信号取込時間の設定範囲に基づいて計時処理を行う。本実施形態では、すでに移動通信装置に接続を許可し、通信サービスを提供しているフェムトセル基地局の信号強度の検出は、すでに移動通信装置に接続を許可し、通信サービスを提供しているフェムトセル基地局と、移動通信装置と、の間の通信信号強度を検出することによって行われる。信号強度がＳ２において予め設定された通信警報値より小さいとき、計時を開始する。次にＳ４に進む。
【００３５】
Ｓ４：Ｓ３において計時処理が開始されると、Ｓ２において予め設定された信号取込時間内において、許可リストに基づき、移動通信装置に接続を許可する他の各フェムトセル基地局の信号強度を取り込み続けるとともに、すでに移動通信装置に接続を許可し、通信サービスを提供しているフェムトセル基地局の信号取込時間内における信号強度を取り込み続ける。この信号強度の取込は、計時処理によって取得された計測時間が信号取込時間になるまで続けられる。次にＳ５に進む。
【００３６】
Ｓ５：信号取込時間内において取り込まれ続けた他の各フェムトセル基地局の信号強度と、すでに移動通信装置に接続を許可し、通信サービスを提供しているフェムトセル基地局と、の信号強度に基づき、優先リストを構築する。次にＳ６に進む。
【００３７】
Ｓ６：信号取込時間内における各信号強度を比較する。次にＳ７に進む。
【００３８】
Ｓ７：すでに移動通信装置に接続を許可し、通信サービスを提供しているフェムトセル基地局の信号強度が、優先リスト中の最優先の他のフェムトセル基地局の信号強度より小さいとき、最優先の他のフェムトセル基地局を切替対象として選択し、切替を実行して移動通信装置と接続する。上述したことから分かるように、すでに移動通信装置に接続を許可し、通信サービスを提供しているフェムトセル基地局と、切替対象とされる他のフェムトセル基地局と、が移動通信装置に接続されるため、切替を実行する前に、切替対象とされる他のフェムトセル基地局は、すでに移動通信装置に接続を許可し、通信サービスを提供しているフェムトセルの信号パラメータ値を取得することができる。これにより、切替をスムーズに行うことができる。
【００３９】
また、前述のＳ７は、以下のように他の状況の場合もある。すでに移動通信装置に接続を許可し、通信サービスを提供しているフェムトセル基地局の信号強度が優先リスト中の最優先の他のフェムトセル基地局の信号強度以上の場合に、移動通信装置は、すでに移動通信装置に接続を許可し、通信サービスを提供しているフェムトセル基地局と接続され続け、通信を行う。
【００４０】
また、上述の比較される信号強度と、取り込まれた信号強度に基づいて構築される優先リストと、に関し、前述のステップにおいて述べた信号強度は、平均信号強度で代替してもよい。即ち、前述のＳ５において、信号取込時間内において取り込まれ続けた各フェムトセル基地局の信号強度を計算し、各フェムトセル基地局の平均信号強度を取得する。次に、平均信号強度に基づき、優先リストを構築する。また、前述のＳ６において、信号取込時間内における各平均信号強度を比較する。次に、前述のＳ７において、すでに移動通信装置に接続を許可し、通信サービスを提供しているフェムトセル基地局の平均信号強度が優先リスト中の最優先の他のフェムトセル基地局の平均信号強度より小さいとき、優先リスト中の最優先の他のフェムトセル基地局を切替対象として選択し、切替を実行する。
【００４１】
上述したことから分かるように、本発明のフェムトセル基地局の通信サービス切替処理システム及びその方法は、通信警報値及び信号取込時間が設定され、信号強度が通信警報値より小さいとき、すでに移動通信装置に接続を許可し、通信サービスを提供しているフェムトセル基地局と、移動通信装置に接続を許可する他のフェムトセル基地局と、の信号強度を比較する。次に、すでに移動通信装置に接続を許可し、通信サービスを提供しているフェムトセル基地局が提供する通信カバレッジ内の信号強度が高い他のフェムトセル基地局を移動通信装置に接続する対象に選択する。これにより、従来技術においては、すでに移動通信装置に接続を許可し、通信サービスを提供しているフェムトセル基地局は、切替対象である他のフェムトセル基地局のリアルタイムの信号パラメータ値を取得できなかったが、本発明により、切替対象である他のフェムトセル基地局のリアルタイムの信号パラメータ値を有効に取得し、スムーズな切替を行うことができる。即ち、本発明は、産業上の利用価値を有する。
【００４２】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００４３】
３    移動通信装置
５    フェムトセル基地局の通信サービス切替処理システム
４０    フェムトセル基地局
４１    フェムトセル基地局
４２    フェムトセル基地局
５１    データベース
５２    設定モジュール
５３    検出モジュール
５４    取込モジュール
５５    切替モジュール
５４１    計算ユニット
５５１    比較ユニット
【図１】
2012105247.tif 000003
【図２】
2012105247.tif 000004